(57)【要約】【課題】コントロールＰＣから撮影用カメラの撮影モード（撮影パラメータ）を変更し、該撮影モードの間、該撮影パラメータを保持することで最適な撮像を実現する。【解決手段】電子撮像素子を有する撮像ヘッド、該撮像ヘッドを制御するコントロール用ＰＣ、該撮像ヘッドと該コントロールＰＣを結ぶ通信経路、該コントロールＰＣ上に配された撮影種別切り替え操作部、該撮像ヘッドの撮影パラメータ変更手段。【選択図】        図１
2005006894.tif 000002
【特許請求の範囲】
【請求項１】
電子画像を生成する撮像素子を有する撮像ヘッドと、画像ファイリング手段とを有し、該撮像ヘッドと該画像ファイリング手段を結ぶ通信手段とからなる眼科画像生成システムにおいて、前記画像ファイリング手段上に画像の撮影種別（Ｃｏｌｏｒ／ＦＡ／ＩＣＧ）選択手段と、撮影種別情報の送信手段とを備え、前記撮影種別情報の選択結果に応じて、前記撮像ヘッドの撮影パラメータを制御することを特徴とする眼科画像生成システム。
【請求項２】
前記撮影パラメータは、前記撮像素子の感度であることを特徴とする請求項１記載の眼科画像生成システム。
【請求項３】
前記撮影パラメータは、前記撮像された画像の解像度乃至は画素数であることを特徴とする請求項１および２記載の眼科画像生成システム。
【請求項４】
前記撮像素子は、カラー撮影可能な撮像素子であって、前記撮影パラメータにより、該撮像素子の出力画像をカラー画像記録乃至はモノクロ画像記録の選択が可能であることを特徴とする請求項１から３記載の眼科画像生成システム。
【請求項５】
前記撮影パラメータは、撮影時の照明光源の発光光量であることを特徴とする請求項１から４記載の眼科画像生成システム。
【請求項６】
前記撮像ヘッドは、前記撮像素子で撮影された画像を保管する画像保管手段を備え、前記撮影パラメータは、該画像保管手段へ保管する際の画像データの圧縮率であることを特徴とする請求項１から５記載の眼科画像生成システム。
【請求項７】
前記撮像ヘッドが、前記受信した撮影種別情報から得た、撮影解像度と前記画像データの圧縮率から算出した画像処理時間と画像転送時間から撮影間隔を決定することを特徴とする請求項１から６記載の眼科画像生成システム。
【請求項８】
前記画像ファイリング手段は、前記撮影種別情報を含んだ検査依頼情報を生成、または受信する検査依頼情報管理手段を備え、該検査情報管理手段の出力により得られた撮影種別情報に基づいて、前記撮像ヘッドの撮影パラメータを制御することを特徴とする請求項１から６記載の眼科画像生成システム。
【請求項９】
前記画像ファイリング手段は、撮影種別情報に基づいた撮影パラメータの変更を、次に異なる撮影種別情報が入力されるまでの間、禁止することを特徴とする第１項記載の眼科画像生成システム。
【発明の詳細な説明】
【０００１】
【発明の属する技術分野】
本発明は、眼科病院などで使用される眼底カメラやホトスリットランプなどの眼科機器ならびに、眼科機器から得られる眼底画像などの画像情報を処理する眼科用画像処理装置に関するものである。
【０００２】
【従来の技術】
従来から、被検眼を撮影する眼底カメラなどの眼科撮影装置では、撮影した眼底画像を３５ｍｍフィルムやインスタントフィルムなどに記録する方式が一般に行われているが、近年のデジタル画像機器の技術進歩に伴い、眼底カメラの撮像面にＣＣＤなどの電子撮像素子を搭載した撮像ヘッドを用いてデジタル画像を生成し、これをホストコンピュータによって画像処理および管理を行う方式に移行しつつある。このような所謂デジタル撮影方式による眼科画像生成システムでは、撮影直後に撮影像を確認でき、必要に応じた画像の加工処理やホストコンピュータによる個人情報秘匿管理が容易で、さらには、長期管理による画質の劣化が無いなどの利点を有している。例えば特開平１−３０５９２３号公報による開示では、静止画撮影用に動画用テレビカメラを使用した例が紹介されている。
【０００３】
また、デジタル撮影方式による眼科画像生成システムの運用においては、Ｃｏｌｏｒ／ＦＡ／ＩＣＧ等の撮影種別に応じた撮影パラメータを撮像ヘッドに直接設定して一連の撮影を行い、その後ホストコンピュータへ転送することで画像処理および管理を行う方式が一般的である。
【０００４】
【発明が解決しようとする課題】
しかしながら、従来例による眼科画像生成システムでは、ホストコンピュータ側から撮影ヘッドへの撮影パラメータの変更が行えない。したがって、撮影種別の度に撮影パラメータの変更が必要な場合は、撮影ヘッド側の操作で撮影パラメータの設定を行うために、誤った設定による撮影失敗の危険性があった。また、撮影種別ごとに撮影パラメータを変更しない場合であっても、撮影ヘッド側で任意に撮影パラメータが変更できてしまうため、間違った撮影パラメータで撮影されてしまう危険性があった。
【０００５】
本発明の目的は、上述した課題の解決であって、検査依頼項目に従った撮影期間中の撮影パラメータを保持することで最適な撮影条件を維持するとともに、設定ミスによる撮影失敗を防止する眼科画像生成システムを提供することにある。
【０００６】
【課題を解決するための手段】
上記課題を解決するため本発明の眼科撮影装置は、以下の構成からなる。
【０００７】
電子画像を生成する撮像素子を有する撮像ヘッドと、画像ファイリング手段とを有し、該撮像ヘッドと該画像ファイリング手段を結ぶ通信手段とからなる眼科画像生成システムにおいて、前記画像ファイリング手段上に画像の撮影種別（Ｃｏｌｏｒ／ＦＡ／ＩＣＧ）選択手段と、撮影種別情報の送信手段とを備え、前記撮影種別情報の選択結果に応じて、前記撮像ヘッドの撮影パラメータを制御することを特徴とする。
【０００８】
さらに、前記撮影パラメータは、前記撮像素子の感度であることを特徴とする。
さらに、前記撮影パラメータは、前記撮像された画像の解像度乃至は画素数であることを特徴とする。
【０００９】
また、前記撮像素子は、カラー撮影可能な撮像素子であって、前記撮影パラメータにより、該撮像素子の出力画像をカラー画像記録乃至はモノクロ画像記録の選択が可能であることを特徴とする。
【００１０】
さらに、前記撮影パラメータは、撮影時の照明光源の発光光量であることを特徴とする。
【００１１】
さらに、前記撮像ヘッドは、前記撮像素子で撮影された画像を保管する画像保管手段を備え、前記撮影パラメータは、該画像保管手段へ保管する際の画像データの圧縮率であることを特徴とする。
【００１２】
さらに、前記画像ファイリング手段は、前記撮影種別情報を含んだ検査依頼情報を生成、または受信する検査依頼情報管理手段を備え、該検査情報管理手段の出力により得られた撮影種別情報に基づいて、前記撮像ヘッドの撮影パラメータを制御することを特徴とする。
【００１３】
さらに、前記画像ファイリング手段は、撮影種別情報に基づいた撮影パラメータの変更を、次に異なる撮影種別情報が入力されるまでの間、禁止することを特徴とする。
【００１４】
【発明の実施の形態】
以下、添付図面を参照しながら本発明の実施の形態を詳細に説明する。
【００１５】
（第１実施例）
図１は本発明に依る第１の実施例である眼科撮影装置（例えば眼底カメラ）の構造断面図を示している。また、図２は本発明に依る第１の実施例の構成図を示している。
【００１６】
図１において、被検眼１０１からハロゲンランプ等の観察用光源１０２に向かう光路Ａには対物レンズ１０３、前眼／眼底切り替えレンズユニット１０４、中心開口を有する孔あきミラー１０５、角膜バッフル１０６、リレーレンズ１０７、水晶体バッフル１０８、紫外線カットフィルター１０９、可視蛍光撮影用エキサイタ１１０、ＩＣＧ蛍光撮影用エキサイタ１１１、小瞳孔径に対応するために複数配置された、円環状開口部を有するリングスリットユニット１１２、コンデンサーレンズ１１３、ストロボ発光するキセノンランプ等の眼底撮影用光源１１４、コンデンサーレンズ１１５、観察用光源１０２の背面には凹面反射鏡１１６が順次に配列されている。孔あきミラー１０５の背後の光路Ｂ上には、可視蛍光撮影用バリアフィルタ１１７、フォーカスレンズ１１８、撮影レンズ１１９、可倒ミラー１２０、そしてＣＣＤ等の電子撮像素子１２１で眼底像を撮影するための眼底撮影装置１２２が配置され、眼底撮影装置１２２の撮影画像出力は、撮影制御部１２９へ送られる。また、可倒ミラー１２０により切り替えられる光軸Ｃ上には、ミラー１２３、接眼レンズ１２４を有するファインダーがある。さらに、可倒ミラー１２３により切り替えられる光軸Ｄ上には、ミラー１２５、ＩＣＧ撮影用バリアフィルタ１２６、ＣＣＤ等の電子撮像素子１２７で動画乃至は静止画用の眼底撮影装置１２８が配置され、眼底撮影装置１２８の画像出力は、撮影制御部１２９へ送られる。
【００１７】
撮影制御部１２９には、眼底撮影装置１２２、動画乃至は静止画用の眼底撮影装置１２８の他、眼底撮影装置１２２で撮影された画像データを一時保管する撮影画像記録装置１３０、表示装置１３１、操作桿１３２に設けられた撮影釦１３３、画像ファイリング装置２０１（例えばコントロール用ＰＣ等）とのインタフェース装置１３４、そして眼底撮影用光源１１４の発光光量制御装置１３５が接続されている。
【００１８】
前眼／眼底切り替えレンズユニット１０４の切り替えにより選択された、前眼部あるいは眼底部の観察時においては、撮影者が下記に示す撮影種別（１）〜（４）を設定することで、設定した撮影種別に従った撮影パラメータが、コントロール用ＰＣ（２０１）から読み出され、眼底撮影装置１２２、動画乃至は静止画用の眼底撮影装置１２８、撮影画像記録装置１３０、および発光光量制御装置１３５へ設定される。
（１）ＣＯＬＯＲ
可視光を用いたフルカラー撮影。観察用光源１０２からの観察像光束は、リングスリットユニット１１２にて円環状光束となり、孔あきミラー１０５で反射され、対物レンズ１０３を通り、被検眼１０１の眼底を照明する。眼底からの反射像は対物レンズ１０３、孔あきミラー１０５の孔部、フォーカスレンズ１１８、撮像レンズ１１９、可倒ミラー１２０、可倒ミラー１２３、接眼レンズ１２４を通ったファインダー画像となる。
【００１９】
さらに、撮影者はピント合わせ、撮影部位の確認、フレアの有無を確認しながら撮影釦１３３を押すと、可倒ミラー１２０は光路Ｂ外へ退避し、眼底撮影用光源１１４が発光し、その光束は観察時と同様に被検眼１０１を照明し、眼底像は対物レンズ１０３、孔空きミラー１０５の開口部、フォーカスレンズ１１８、撮影レンズ１１９を通って眼底撮影装置１２２の電子撮像素子１２１上に静止画像として結像し、撮影画像記録装置１３０へ記録される。
【００２０】
撮影画像記録装置１３０へ記録された眼底像は、表示装置１３１へ表示されるとともに、インタフェース装置３４を介してコントロール用ＰＣ（２０１）へ転送される。本撮影種別では、画像転送時間などから１フレーム／３秒程度の撮影間隔となっている。
（２）ＦＡ（連写モード）
可視光を用いた蛍光撮影で、被検者に可視波長域の発光色素を静注後、照明系光学経路にエキサイタ１１０、撮影系光学経路にバリアフィルタ１１７を挿入し、眼底の造影像を撮影する。
【００２１】
観察用光源１０２からの観察像光束は、リングスリットユニット１１２にて円環状光束とされた後、可視蛍光撮影用エキサイタ１１０により励起用の特定波長光が選択され、孔あきミラー１０５で反射され、対物レンズ１０３を通り、被検眼１０１の眼底を照明する。
【００２２】
該照明光により励起された発色色素は励起波長域により長波長側にシフトした蛍光を発生し、血管を造像する。この血管像は対物レンズ１０３、孔あきミラー１０５の孔部を通過後、蛍光波長域のみを透過する可視蛍光撮影用バリアフィルタ１１７にて蛍光のみが選択された後、フォーカスレンズ１１８、撮像レンズ１１９、第一の可倒ミラー１２０、可倒ミラー１２３、接眼レンズ１２４を通ったファインダー画像となる。
【００２３】
さらに、撮影者はファインダー像を観察しながらピント合わせ、撮影部位の確認、フレアの有無確認を行い、撮影釦１３３を押すと、第一可倒ミラー１２０は光路Ｃ外へ退避し、眼底撮影用光源１１４が発光し、その光束は観察時と同様に被検眼１０１を照明し、眼底像は対物レンズ１０３、孔空きミラー１０５の開口部、可視蛍光撮影用バリアフィルタ１１７、フォーカスレンズ１１８、撮影レンズ１１９を通って眼底撮影装置１２２の電子撮像素子１２１上に結像し、撮影画像記録装置１３０へ記録される。このように撮影された眼底像は静止画像フレーム毎に表示装置１３１に表示されるとともに、インタフェース装置３４を介してコントロール用ＰＣ（２０１）へ転送される。本撮影種別では、画像転送時間などから１フレーム／１秒程度の撮影間隔となっている。
（３）ＦＡ（高精細モード）
（２）と同様の可視光を用いた蛍光撮影である。
【００２４】
本撮影種別では、（２）とは異なり、撮影画像記録装置１２８へ記録される画像データは、より場合高精細な静止画像であり、表示装置１３１に表示されるとともに、インタフェース装置３４を介してコントロール用ＰＣ（２０１）へ転送される。本撮影種別では、画像転送時間などから１フレーム／３秒程度の撮影間隔となっている。
（４）ＩＣＧ
近赤外線を用いた蛍光撮影。被検者に近赤外波長域の発光色素を静注後、照明系光学経路にエキサイタ１１１、撮影系光学経路にバリアフィルタ１２６を挿入し、眼底の造影像を撮影する。
【００２５】
観察用光源１０２からの観察像光束は、リングスリットユニット１１２にて円環状光束となり、ＩＣＧ蛍光撮影用エキサイタ１１１により励起用の特定波長光が選択され、孔あきミラー１０５で反射され、対物レンズ１０３を通り、被検眼１０１の眼底を照明する。照明光により励起された発色色素は励起波長域により長波長側にシフトした蛍光を発生し、血管を造影する。この眼底像は対物レンズ１０３、孔あきミラー１０５の孔部、フォーカスレンズ１１８、撮像レンズ１１９、可倒ミラー１２０を通る。ＩＣＧ動画像観察時には、可倒ミラー１２３が破線部へ退避することで、観察像光源は光軸Ｄを通り、ミラー１２５、ＩＣＧ撮影用バリアフィルタ１２６を通って眼底撮影装置１２８の電子撮像素子１２７上に結像する。この時、結像した眼底像は表示装置１３１へ表示される。
【００２６】
さらに、撮影者は表示装置１３１に映出された眼底像を観察しながらピント合わせ、撮影部位の確認、フレアの有無確認を行い、撮影釦１３３を押すと、眼底撮影用光源１１４が発光し、その光束は観察時と同様に被検眼１０１を照明し、眼底像は対物レンズ１０３、孔空きミラー１０５の開口部、フォーカスレンズ１１８、撮影レンズ１１９、可倒ミラー１２０、ミラー１２５、ＩＣＧ撮影用バリアフィルタ１２６を通って眼底撮影装置１２８の電子撮像素子１２７上に結像した眼底像が、撮影画像記録装置１３０へ、静止画像として記録される。撮影画像記録装置１３０へ記録された静止画像は、表示装置１３１に表示されるとともに、インタフェース装置１３４を介してコントロール用ＰＣ（２０１）へ転送される。本撮影種別では、画像転送時間などから１フレーム／１秒程度の撮影間隔となっている。
【００２７】
図３はコントロール用ＰＣ上で管理される撮影パラメータファイルの内部構成イメージ図である。
【００２８】
撮影パラメータ３０１は撮影種別（ＣＯＬＯＲ／ＦＡ１／ＦＡ２／ＩＣＧ）に従属するグループとして構成されており、最近設定された撮影種別はアクティブフラグ３０２で管理されている。
・ＩＳＯ
ＩＳＯ感度を１００／２００．４００．８００／１０００から選択する。
・ＣＯＮＴＲＡＳＴ
コントラストの強さを設定する。
・ＳＨＡＲＰＮＥＳＳ
エッジ強調処理の強さを設定する。
・ＤＡＲＫＮＥＳＳ
明るさの微補正量を設定する。
・ＨＵＥ
色合いを設定する。
・ＷＨＩＴＥ  ＢＡＬＬＡＮＣＥ
ホワイトバランスを設定する。２０００Ｋ〜１００００Ｋの範囲で設定する。また、『Ｂ／Ｗ』を選択すると、撮像素子がカラー画像を撮像した場合でも、モノクロ変換し、モノクロ画像として記録する。
・ＥＸＰＯＳＵＲＥ
露出の補正値を、−２／−１．５／−１／−０．５／０／＋０．５／＋１／＋１．５／＋２から選択する。
・ＩＭＡＧＥ  ＳＩＺＥ
撮影画像の解像度をＬＡＲＧＥ／ＭＩＤＤＬＥ／ＳＭＡＬＬから選択する。
・ＱＵＡＬＩＴＹ
画像を記録する際の圧縮率を、ＦＩＮＥ／ＮＯＲＭＡＬ／ＲＡＷから選択する。
・最小撮影間隔
ＩＭＡＧＥ  ＳＩＺＥとＱＵＡＬＩＴＹ  から決定、または推測される画像ファイルサイズと、コントロール用ＰＣ（２０１）〜眼底カメラ間のファイル転送速度から決定される最小の撮影間隔を計算して表示する。
・ＬＥＶＥＬ
発光光量の補正値を−１０〜＋１０の範囲で設定する。
【００２９】
図４はコントロール用ＰＣ（２０１）上のディスプレイに表示された撮影種別の設定ダイアログ画面４０１を示す。
【００３０】
図５はコントロール用ＰＣ（２０１）の操作により眼底カメラの撮像パラメータを変更する処理を示す図である。
【００３１】
以下、本実施例の運用形態を〔起動〕、〔撮影種別の参照〕、〔撮影種別／撮影パラメータの変更〕の順で説明する。尚、本例では撮影種別はカラー撮影である。
〔起動〕コントロール用ＰＣ（２０１）上で撮影種別設定ダイアログ４０１が起動すると（５０１）、ＰＣ上で管理される撮影パラメータファイルが参照され（５０２）、撮影種別設定ダイアログ４０１表示の更新が行われる（５０３）。そして、ディフォルトの撮影種別４０２を眼底カメラの撮影種別に設定するとともに（５０４）、従属する撮影パラメータが眼底カメラに設定される（５０５）。さらに、撮影種別変更コマンドと共に従属する撮影パラメータが眼底カメラへ送信され、その後、眼底カメラ側の撮影パラメータ操作は禁止される。
〔撮影種別の参照〕ここで、撮影種別設定ダイアログ４０１にて撮影種別４０２の選択を変更すれば（５０６）、選択した撮影種別に従属する撮影パラメータファイルが参照され（５０７）、撮影種別設定ダイアログ４０１表示の更新が行われる（５０８）。
〔撮影種別／撮影パラメータの変更〕撮影パラメータの変更時には、撮影種別設定ダイアログ４０１で撮影パラメータ４０３の内容を必要に応じて変更し（５０９）、『ＯＫ』ボタン４０４を選択して終了すると（５１０）、『撮影種別変更コマンド』が発行され、変更された撮影種別４０２を眼底カメラの撮影種別に設定し（５１１）、従属する撮影パラメータを、変更された撮影パラメータ４０３へ変更する（５１２）。また、撮影種別設定ダイアログ４０１のリモート動作チェックボックス４０５が『ＯＮ』であれば、眼底カメラ側操作による撮影種別／撮影パラメータの変更が禁止される（５１３）。本実施例では、ここで各撮影パラメータの再設定が可能な画面構成としたが、通常は変更する必要が無いため、この画面を別画面として、撮影種別の選択のみを行うようにしてもよい。
【００３２】
以上の設定が行われた後、検者は前述の操作を行い各種の撮影を行うことになるが、上記撮影種別の設定により定義された撮影パラメータのほか、光路の切り替えや、各種フィルターの挿脱、撮影装置の切り替え、発光量の調節も同時に行われる。特に前述の、自動調節される最小撮影間隔も上述の通り設定され、画像の転送時間に見合った繰り返し撮影が可能となる。
【００３３】
ここで、撮影種別『ＦＡ２』は、他のＣＯＬＯＲ／ＦＡ１／ＩＣＧと同列の選択が可能であるが、さらに『ＦＡ１』が選択され、実際の撮影を開始した後に、適時ＦＡ２に切り替えが可能となるように用意されることが望ましい。すなわち、検者は本機能を用いて『ＦＡ１』にて血管造影初期の毎秒１フレームを撮影した後、より高精細な画像を記録する場合に、適時撮影種別を切り替え、高解像度、低画像圧縮率の高精細画像を記録する。該切り替えた記録では３秒に１フレームの撮影しか行えないが、血管造影の後期においては、造影剤が眼底に廻りきっているため、高速な繰り返し撮影は不要であるため、本切り替え撮影は有効である。
【００３４】
（第２実施例）
図６は本発明に依る第２の実施例の構成図を示している。
【００３５】
本実施例における構造断面図は、図１と同じである。また、コントロール用ＰＣ上で管理される撮影パラメータファイルの内部構成イメージ図も、図３と同じである。
【００３６】
図６において、コントロール用ＰＣ（６０２）は、検査依頼情報を上位システム６０３等から受信すると、該検査依頼情報を基に撮影管理情報を発生させる。上位システム６０３が無い場合には、コントロール用ＰＣ（６０２）が検査依頼情報を生成できるように構成することも可能である。
【００３７】
図７はコントロール用ＰＣ上に表示された撮影管理情報を示す。
【００３８】
前記撮影管理情報のメイン画面７０１を示す図７において、検査一覧として被検者である患者ＩＤと（７０２）、撮影管理情報（７０３）、撮影対象眼〔左／右〕（７０４）が表示されている。この検査一覧から次に行う検査（７０５）を選択することにより、検査種別が自動的に選択され、コントロール用ＰＣ（６０２）から眼底カメラへ撮影種別と、これに従属する撮影パラメータが転送される。それ以降の動作は第１の実施例と同様である。
【００３９】
図８に撮影種別のセーブ・ロードダイアログを示す。
【００４０】
図７に示す撮影管理情報画面のメニュー（不図示）操作により、撮影種別毎の撮影パラメータの保存・読み出しを行うことができる。新たな撮影種別を追加することで、限定的な撮影条件の設定が可能になる（７０７）。
【００４１】
尚、以上の実施例では眼底カメラについてなされているが、ホトスリットランプなどの他の眼科撮影装置でも同様な効果を適用することができる。
【００４２】
【発明の効果】
以上説明したように、本発明による眼科画像作成システムは、眼科撮影装置の撮影パラメータである撮像素子の感度、撮像画像の解像度、カラー／モノクロの選択、閃光光源の発光量、画像データの圧縮率、撮影間隔などを、コントロール用ＰＣから一元管理を行う。さらに、撮影以来情報を管理するコントロール用ＰＣが、撮影以来情報を管理する場合、該撮影種別情報ならびに従属する撮影パラメータについても一元管理することで、検査単位内での最適な撮影パラメータの保持が可能になる。また、一定の撮影種別による撮影期間内における撮影パラメータの変更を禁止することで、該撮影期間中の操作ミスによる撮影失敗を防ぐことができる。したがって、特に、多数の検体を収集する集団検診でスムーズな撮影が可能になる。
【図面の簡単な説明】
【図１】第１の実施例の構造断面図である。
【図２】第１の実施例の構成図である。
【図３】本実施例に係わるコントロール用ＰＣ上で管理される撮影パラメータファイルの内部構成イメージ図である。
【図４】本実施例に係わるコントロール用ＰＣ上のディスプレイに表示された撮影種別の設定画面を示す図である。
【図５】コントロール用ＰＣの操作により眼底カメラの撮像パラメータを変更する処理を示す図である。
【図６】第２の実施例の構成図である。
【図７】第２の実施例に係わるコントロール用ＰＣ上に表示された撮影管理情報である。
【図８】撮影種別のセーブ・ロードダイアログを示す。
【符号の説明】
１０１  被検眼
１０２  前眼観察用光源
１０３  対物レンズ
１０４  前眼／眼底切り替えレンズユニット
１０５  孔あきミラー
１０６  角膜バッフル
１０７  リレーレンズ
１０８  水晶体バッフル
１０９  紫外線フィルター
１１０  可視蛍光撮影用エキサイタ
１１１  ＩＣＧ蛍光撮影用エキサイタ
１１２  リングスリットユニット
１１３  第１コンデンサーレンズ
１１４  眼底撮影用光源
１１５  第２コンデンサーレンズ
１１６  凹面反射鏡
１１７  可視蛍光撮影用バリアフィルタ
１１８  フォーカスレンズ
１１９  撮像レンズ
１２０  第一の可倒ミラー
１２１  電子撮像素子
１２２  眼底撮影装置
１２３  第二の可倒ミラー
１２４  接眼レンズ
１２５  ミラー
１２６  ＩＣＧ撮影用バリアフィルタ
１２７  電子撮像素子
１２８  動画像撮像装置
１２９  撮影制御部
１３０  撮影画像記録装置
１３１  表示装置
１３２  操作桿
１３３  撮影釦
１３４  コントロール用ＰＣとのインタフェース装置
１３５  発光光量制御装置
２０１  コントロール用ＰＣ
３０１  撮影パラメータ
３０２  アクティブフラグ
４０１  撮影パラメータ設定ダイアログ
４０２  撮影種別選択フィールド
４０３  撮影パラメータ設定フィールド
４０４  「ＯＫ」ボタン
４０５  リモート動作チェックボックス
６０１  眼底カメラ
６０２  コントロール用ＰＣ
６０３  ＬＡＮ
６０４  上位システム
６０５  画像サーバー
７０１  コントロール用ＰＣ上の撮影管理情報メインウィンドウ画面
７０２  患者ＩＤ設定フィールド
７０３  撮影種別管理情報設定フィールド
７０４  撮影対象眼設定フィールド
７０５  検査項目Ｎｏ．選択フィールド
【図１】
2005006894.tif 000003
【図２】
2005006894.tif 000004
【図３】
2005006894.tif 000005
【図４】
2005006894.tif 000006
【図５】
2005006894.tif 000007
【図６】
2005006894.tif 000008
【図７】
2005006894.tif 000009
【図８】
2005006894.tif 000010